(57)【要約】【課題】薄葉紙を立ち上げられた状態で保持できる機能の高い収容体を提供する。【解決手段】薄葉紙の積層体を収容する収容体本体と前記収容体本体の上に接続された紙引出部とを備え、前記紙引出部を通して、前記積層体から前記薄葉紙をポップアップ式に引き出すことができる、可撓性フィルム製の収容体であって、前記積層体は、上面視で、幅方向に所定の幅と、前記幅方向に直交する奥行方向に所定の奥行とを有し、前記紙引出部は、下蓋と前記下蓋の上に重ねられた上蓋とを備え、前記下蓋及び前記上蓋はそれぞれ、スリット又は裂開することで前記スリットを形成可能な裂開線を前記幅方向に沿って有し、前記薄葉紙は、前記下蓋の前記スリット、及び前記上蓋の前記スリットを通して引き出される。【選択図】図１
2019059495.tif 000002
【特許請求の範囲】
【請求項１】
薄葉紙の積層体を収容する収容体本体と前記収容体本体の上に接続された紙引出部とを備え、前記紙引出部を通して、前記積層体から前記薄葉紙をポップアップ式に引き出すことができる、可撓性フィルム製の収容体であって、
前記積層体は、上面視で、幅方向に所定の幅と、前記幅方向に直交する奥行方向に所定の奥行とを有し、
前記紙引出部は、下蓋と前記下蓋の上に重ねられた上蓋とを備え、
前記下蓋及び前記上蓋はそれぞれ、スリット又は裂開することで前記スリットを形成可能な裂開線を前記幅方向に沿って有し、
前記薄葉紙は、前記下蓋の前記スリット、及び前記上蓋の前記スリットを通して引き出される、収容体。
【請求項２】
薄葉紙の積層体を収容する収容体本体と前記収容体本体の上に接続された紙引出部とを備え、前記紙引出部を通して、前記積層体から前記薄葉紙をポップアップ式に引き出すことができる、可撓性フィルム製の収容体であって、
前記積層体は、上面視で、幅方向に所定の幅と、前記幅方向に直交する奥行方向に所定の奥行とを有し、
前記紙引出部は、下蓋と前記下蓋の上に重ねられた上蓋とを備え、
前記下蓋は、前記幅方向に沿って延びる自由端部を有し、
前記上蓋は、スリット又は裂開することで前記スリットを形成可能な裂開線を前記幅方向に沿って有し、
前記薄葉紙は、前記下蓋の前記自由端部に接触しながら、前記上蓋の前記スリットを通して引き出される、収容体。
【請求項３】
前記下蓋の前記スリット又は前記裂開線と、前記上蓋の前記スリット又は前記裂開線とは、上面視で前記奥行方向に離間している、請求項１に記載の収容体。
【請求項４】
前記下蓋の前記スリット又は前記裂開線と、前記上蓋の前記スリット又は前記裂開線との間隔は、前記積層体の奥行に対して上面視で５〜９０％である、請求項３に記載の収容体。
【請求項５】
前記下蓋の前記スリット又は前記裂開線の長さは、前記積層体の幅より小さい、請求項１、３又は４に記載の収容体。
【請求項６】
前記上蓋の前記スリット又は前記裂開線の長さは、前記積層体の幅より小さい、請求項１から５のいずれか一項に記載の収容体。
【請求項７】
前記下蓋は、前記奥行方向の端部において、前記上蓋と接続されていない、請求項１から６のいずれか一項に記載の収容体。
【請求項８】
請求項１から７のいずれか一項に記載の収容体と、薄葉紙の積層体とを含む、薄葉紙製品。
【発明の詳細な説明】
【技術分野】
【０００１】
本発明は、収容体、及び薄葉紙製品に関する。
【背景技術】
【０００２】
従来、ティシュペーパー等の薄葉紙を収容するための収容体として、紙製のものが広く知られている。しかし、近年では、環境への配慮から、また低価格であること、嵩張らずに持ち運びが容易であること等の理由により、可撓性フィルム製の収容体の利用が増加している。
【０００３】
可撓性フィルム製の収容体は、例えば、特許文献１、２に開示されている。特許文献１、２に記載されている収容体には、上面のフィルムにミシン目が設けられており、使用時には、このミシン目に沿ってフィルムを裂開して取出口を形成する（図１０）。そして、形成された取出口から薄葉紙を、いわゆるポップアップ式に取り出すことができる。
【先行技術文献】
【特許文献】
【０００４】
【特許文献１】特開２００８−１８３０３４号公報
【特許文献２】特開２０１６−１８８０９２号公報
【発明の概要】
【発明が解決しようとする課題】
【０００５】
ポップアップ式の取り出し方法では、一枚又は複数枚重ねた１組の薄葉紙を引き出した後、後続の薄葉紙は、容易に摘まんで引き出せるように上面からできるだけ垂直に立ち上げられた状態で保持されていることが好ましい。
【０００６】
しかしながら、特許文献１、２に開示された収容体の構成では、特に保湿ティシューのような、柔らかい薄葉紙を用いた場合には、薄葉紙を立ち上げられた状態で保持できないことが多く、取り出しにくい（図１１）。
【０００７】
上記の点に鑑みて、本発明の一形態は、薄葉紙を取り出しやすい収容体を提供することを課題とする。
【課題を解決するための手段】
【０００８】
本発明の第一の形態は、薄葉紙の積層体を収容する収容体本体と前記収容体本体の上に接続された紙引出部とを備え、前記紙引出部を通して、前記積層体から前記薄葉紙をポップアップ式に引き出すことができる、可撓性フィルム製の収容体であって、前記積層体は、上面視で、幅方向に所定の幅と、前記幅方向に直交する奥行方向に所定の奥行とを有し、前記紙引出部は、下蓋と前記下蓋の上に重ねられた上蓋とを備え、前記下蓋及び前記上蓋はそれぞれ、スリット又は裂開することで前記スリットを形成可能な裂開線を前記幅方向に沿って有し、前記薄葉紙は、前記下蓋の前記スリット、及び前記上蓋の前記スリットを通して引き出される。
【０００９】
上記第一の形態によれば、収容体は可撓性フィルム製であるので、薄葉紙を紙引出部を通して引き出す際に上蓋及び下蓋は容易に変形する。この変形によって、上蓋及び下蓋には元の形状に復元する力が生じる。また、後続の薄葉紙と、上蓋のスリットの縁部及び下蓋のスリットの縁部との間に摩擦力も発生する。これにより、後続の薄葉紙を、上蓋及び下蓋によって上下方向の複数の箇所で支持することができ、薄葉紙を立ち上げられた状態で保持することができる。
【００１０】
本発明の第二の形態では、薄葉紙の積層体を収容する収容体本体と前記収容体本体の上に接続された紙引出部とを備え、前記紙引出部を通して、前記積層体から前記薄葉紙をポップアップ式に引き出すことができる、可撓性フィルム製の収容体であって、前記積層体は、上面視で、幅方向に所定の幅と、前記幅方向に直交する奥行方向に所定の奥行とを有し、前記紙引出部は、下蓋と前記下蓋の上に重ねられた上蓋とを備え、前記下蓋は、前記幅方向に沿って延びる自由端部を有し、前記上蓋は、スリット又は裂開することで前記スリットを形成可能な裂開線を前記幅方向に沿って有し、前記薄葉紙は、前記下蓋の前記自由端部に接触しながら、前記上蓋の前記スリットを通して引き出される。
【００１１】
上記第二の形態によれば、収容体は可撓性フィルム製であるので、薄葉紙を紙引出部を通して引き出す際に上蓋及び下蓋は容易に変形する。この変形によって、上蓋及び下蓋には元の形状に復元する力が生じる。また、後続の薄葉紙と、上蓋のスリットの縁部及び下蓋の自由端部との間に摩擦力も発生する。これにより、後続の薄葉紙を、上蓋及び下蓋によって上下方向の複数の箇所で支持することができ、薄葉紙を立ち上げられた状態で保持することができる。
【００１２】
本発明の第三の形態では、前記下蓋の前記スリット又は前記裂開線と、前記上蓋の前記スリット又は前記裂開線とは、上面視で前記奥行方向に離間している。
【００１３】
上記第三の形態によれば、下蓋のスリットと上蓋のスリットとは上面視で離間して形成されている。そのため、薄葉紙を紙引出部を通して上面から垂直方向に引き出す場合には、上下のスリットの位置は、薄葉紙の積層体の奥行方向で見て中央に引き寄せられる。これにより、上蓋及び下蓋の変形が大きくなって、また薄葉紙が接触するスリットの縁部の部分が増えるので、薄葉紙とスリットの縁部との間に生じる摩擦力が増大し、薄葉紙の支持がより確実になる。また、上蓋の縁部と下蓋の縁部とが薄葉紙を挟んで支持することもできるので、薄葉紙を立ち上げられた状態で保持する性能を高めることができる。
【００１４】
上記第四の形態では、前記下蓋の前記スリット又は前記裂開線と、前記上蓋の前記スリット又は前記裂開線との間隔は、前記積層体の奥行に対して上面視で５〜９０％である。
【００１５】
本発明の第四の形態によれば、上蓋のスリットと、下蓋のスリットとの間隔が所定の大きさであるので、スリットの縁部による支持がより確実になるという第三の形態による効果が向上するとともに、薄葉紙を引き出す際に、薄葉紙に過度な負荷がかかることを防止することができる。
【００１６】
本発明の第五の形態では、前記下蓋の前記スリット又は前記裂開線の長さは、前記積層体の幅より小さい。
【００１７】
上記第五の形態によれば、下蓋のスリットの長さは積層体の幅より小さいので、薄葉紙が下蓋のスリットを通る際に薄葉紙の幅が縮められる。これにより、薄葉紙とスリットとの間の摩擦力が増大し、薄葉紙がスリットにおいてより良好に保持される。
【００１８】
本発明の第六の形態では、前記上蓋の前記スリット又は前記裂開線の長さは、前記積層体の幅より小さい。
【００１９】
上記第六の形態によれば、上蓋のスリットの長さは積層体の幅より小さいので、薄葉紙が上蓋のスリットを通る際に薄葉紙の幅が縮められる。これにより、薄葉紙とスリットとの間の摩擦力が増大し、薄葉紙がスリットにおいてより良好に保持される。
【００２０】
本発明の第七の形態では、前記下蓋は、前記奥行方向の端部において、前記上蓋と接続されていない。
【００２１】
上記第七の形態によれば、下蓋と上蓋とが互いに比較的自由に動くことができるので、薄葉紙が引き出される際の下蓋及び上蓋の変形がより容易となり、また変形の度合いも大きくなる。これにより、下蓋及び上蓋の元の形状に戻ろうとする力がより大きくなり、上述の薄葉紙を支持する作用を高めることができる。
【００２２】
本発明の第八の形態は、上記第一から第七のいずれかの収容体と、薄葉紙の積層体とを含む、薄葉紙製品である。
【００２３】
上記第八の形態によれば、上記第一から第七の形態のいずれかと同様の作用効果を有する、薄葉紙製品を提供することができる。
【発明の効果】
【００２４】
本発明の一形態によれば、薄葉紙を取り出しやすい収容体を提供することができる。
【図面の簡単な説明】
【００２５】
【図１】本発明の第一の形態による収容体の斜視図である。
【図２】図１のＩ−Ｉ線断面の模式図である。
【図３】図１の収容体の紙引出部の構成を説明するための図である。
【図４】図１、２に示す収容体の機能を説明するための図である。
【図５】本発明の第一の形態による収容体の変形例の断面の模式図である。
【図６】図５の収容体の紙引出部の構成を説明するための図である。
【図７】図５、６に示す収容体の機能を説明するための図である。
【図８】本発明の第二の形態による収容体の斜視図である。
【図９】図８の収容体の紙引出部の構成を説明するための図である。
【図１０】従来技術による収容体の斜視図である。
【図１１】従来技術による収容体から薄葉紙が引き出された状態を示す図である。
【発明を実施するための形態】
【００２６】
以下、本発明の実施の形態について、図面を参照しながら説明する。なお、各図面において、特に説明がない限り、同一の又は対応する構成については同一の符号を付して説明を省略する場合がある。
【００２７】
図１に、本発明の第一の形態による、薄葉紙の積層体を内部に収容した収容体１（薄葉紙製品１００）の斜視図を示す。また、図２に、図１の収容体１（薄葉紙製品１００）をＩ−Ｉ線で切った模式的な部分断面図を示し、図３に、図１の収容体１の紙引出部３の部分分解図を示す。
【００２８】
図１、２に示すように、収容体１は、薄葉紙の積層体を収容できる空間を有する収容体本体２と、この収容体本体２の上に接続された紙引出部３とを備えている。図示の形態では、収容体本体２と紙引出部３とは一体的に形成されている。収容体１においては、紙引出部３を通して、収容されている薄葉紙の積層体Ｓから薄葉紙をポップアップ式に引き出すことができる。
【００２９】
図示の形態では、紙引出部３は、下蓋２０と下蓋２０の上に重ねられた上蓋１０を備えており、下蓋２０にはスリット２５、上蓋１０にはスリット１５が形成されている。薄葉紙は、両スリット２５、１５を通して収容体１の上面から外部へと取り出すことができる。図３に示すように、下蓋２０のスリット２５及び上蓋１０のスリット１５はいずれも、上面視で同じ方向に、すなわち図示の第２方向Ｄ２に沿って延びている。下蓋２０のスリット２５及び上蓋１０のスリット１５は、第２方向Ｄ２に直交する第１方向Ｄ１で見て上蓋１０の中央の、同じ位置に配置されている。
【００３０】
上記の第２方向Ｄ２は、収容体１に収容される薄葉紙の積層体の幅方向に対応する。第２方向Ｄ２は、薄葉紙の積層体から薄葉紙を引き出す際の引出し方向に直交しており、引き出す際に摘ままれる薄葉紙の端部の延在方向に対応する。また、第１方向Ｄ１は、収容体１に収容される薄葉紙の積層体の奥行方向に対応する。本形態では、収容体１に収容される薄葉紙の積層体の幅方向の長さは、奥行き方向の長さよりも長くなっている。
【００３１】
下蓋２０には、図２に示すように、スリット２５が形成されていることによって第１方向Ｄ１で見て２つの部分、すなわち下蓋第１部分２１及び下蓋第２部分２２（合せて下蓋部分と呼ぶ場合がある）が形成されている。下蓋第１部分２１及び下蓋第２部分２２はそれぞれ、縁部２１ａ及び２２ａを有している。また、上蓋１０には、スリット１５が形成されていることによって第１方向Ｄ１で見て２つの部分、すなわち上蓋第１部分１１及び上蓋第２部分１２（合せて上蓋部分と呼ぶ場合がある）が形成されている。上蓋第１部分１１及び上蓋第２部分１２はそれぞれ、縁部１１ａ及び１２ａを有している。
【００３２】
図２に示すように、収容体本体２の内部空間には、薄葉紙の積層体Ｓを収容することができる。薄葉紙の積層体Ｓは、薄葉紙がポップアップ式に引き出されるように構成されている。例えば、薄葉紙は、折りの向きが互い違いになるように各々二つ折りされ、その折り返された面の縁部が上下に隣接する薄葉紙の折り返された内面にそれぞれ入り込んだ状態、すなわち、互い違いに入れ込まれた状態で積層されている。そして、一枚又は複数枚重ねた１組の薄葉紙を取り出すと、後続の薄葉紙が部分的に外部へ飛び出した状態となる。なお、ポップアップ式に引き出し可能であれば、薄葉紙は三つ折り又は四つ折りされていてもよい。なお、本明細書において、薄葉紙を引出部３から収容体１の外部へ引き出した時に、後続の薄葉紙の前端が引出部３よりも飛び出して露出した位置まで収容体本体から引き出される方式をポップアップ式という。
【００３３】
収容体１は可撓性フィルム製である。そのため、薄葉紙の引出しの際には、剛性のある紙製の収容体と異なり、収容体１は、薄葉紙からの力を受けて容易に変形する。可撓性フィルムとしては、ポリエチレン（ＰＥ）、ポリプロピレン（ＰＰ）、ポリエチレンテレフタレート（ＰＥＴ）、ポリスチレン（ＰＳ）、ポリ塩化ビニル（ＰＶＣ）、エチレン−酢酸ビニル共重合体（ＥＶＡ）、ポリアミド（ＰＡ）等の、薄葉紙の収容体として一般的に用いられる汎用樹脂フィルムを用いることができる。可撓性フィルムの材質としては、柔軟で取扱い性に優れること、ヒートシールした場合のシール性も高いこと、安価であること等から、ポリエチレン、ポリプロピレン、ポリエチレンテレフタレート等が好ましく、特にポリエチレンは無臭であり、耐水性・耐薬品性にも優れ、低コストで大量生産が可能であることからより好ましい。ポリエチレンとしては、高密度ポリエチレン、低密度ポリエチレン等を用いることができ、柔軟性に優れることから低密度ポリエチレンが好ましい。また、可撓性フィルムは、複数のフィルムを積層したラミネートフィルムであってもよいし、上記のうち２以上の樹脂からなる貼りあわせフィルムであってもよい。
【００３４】
可撓性フィルムの厚さは、１０〜７０μｍであると好ましく、３０〜６０μｍであるとより好ましい。可撓性フィルムの厚さを１０μｍとすることで、収容体としての、またスリットから飛び出した薄葉紙を支持するための十分な強度を確保することができる。また、可撓性フィルムの厚さを７０μｍ以下とすることで、薄葉紙を引き出す際の収容体の変形を容易にする十分な柔軟性を確保して薄葉紙に掛かる負荷を軽減するとともに、コストを抑えることができる。
【００３５】
図４は、図２と同様の断面模式図であるが、薄葉紙Ｐが、薄葉紙の積層体Ｓから紙引出部３を通して引き出されている状態を示す図である。
【００３６】
上述のように収容体１は薄葉紙の引出しの際に変形するが、その変形は、紙引出部３において顕著に見られる。具体的には、紙引出部３の上蓋１０のスリット１５及び下蓋２０のスリット２５の周辺の領域が、スリットの縁部の中央付近を中心に、薄葉紙に引きずられて持ち上がる。そして、薄葉紙を一枚又は複数枚重ねた１組を引き出した後には、図４に示すように、紙引出部３から後続の薄葉紙Ｐが飛び出した状態となる。この際、上蓋１０のスリット１５の上蓋第１部分１１及び上蓋第２部分１２は反るように変形するため、これらの上蓋部分には元の形状に復元する力が小さいながらも生じる。また、後続の薄葉紙Ｐは、上蓋１０のスリット１５の上蓋第１部分１１の縁部１１ａ及び上蓋第２部分１２の縁部１２ａと少なくとも部分的に接触するため、摩擦力も生じる。これにより、薄葉紙Ｐに対して鉛直下方向に重力が働いても、薄葉紙Ｐは、上蓋第１部分１１及び上蓋第２部分１２によって支持されるので、薄葉紙Ｐの形状は崩れにくい。
【００３７】
同様に、後続の薄葉紙Ｐは、下蓋２０のスリット２５の下蓋第１部分２１及び下蓋第２部分２２によっても支持される。
【００３８】
このように、本形態では、上蓋１０及び下蓋２０のスリット１５、２５によって、上下方向の複数の箇所において、いわば階層的に薄葉紙を支持することができる。そのため、例えば、薄葉紙のシートを収容体１の上面から垂直方向に引き出した場合には、後続の薄葉紙Ｐを、引き出された直後の状態でほぼ垂直に立ち上げられた状態で保持することができる。これにより、使用者が後続の薄葉紙を使用しようとした際に薄葉紙を容易に摘まんで取り出すことができる。なお、薄葉紙のシートを立ち上げられた状態で保持する収容体の性能を、シート保持性能と呼ぶ場合がある。
【００３９】
また、収容体１内に残された薄葉紙が少なくなって、紙引出部３と薄葉紙の積層体Ｓとの間の距離が大きくなった場合には、薄葉紙が収容体１の内部に落ち込みやすい傾向がある。しかし、本形態によれば、上蓋１０及び下蓋２０による上述の階層的な支持によって、そのような落込みも防止される。
【００４０】
図１に示す収容体１は、全体としてほぼ直方体の立体形状を有しており、第１方向Ｄ１の長さは第２方向Ｄ２の長さより短くなっている。しかし、収容体１は、収容される薄葉紙、及び薄葉紙の積層体の形状に応じて別の立体形状を有していてよい。例えば、収容体１の第１方向Ｄ１の長さは、第２方向Ｄ２の長さと等しくてもよいし、第２方向Ｄ２の長さより長くなっていてよい。
【００４１】
上蓋１０のスリット１５は、例えばフィルムに単線状の切れ目を作ることによって形成することができ、薄葉紙を取り出す前の状態では、縁部１１ａと１２ａとが接触可能となっている。また、スリット１５は、フィルムから幅の狭い細長形状の部分を切り取ること等によって形成することもでき、その場合、スリット１５は、幅の狭い細長形状の間隙となり、薄葉紙を取り出す前の状態では、縁部１１ａと１２ａとの間は離間している。
【００４２】
上蓋１０は、スリット１５に代えて、収容体１（薄葉紙製品１００）の使用開始時に、裂開線を使用者が裂開することによってスリットとなる裂開線を有していてもよい。このような裂開線は、ミシン目であってよいし、その他の線状の脆弱部又は目印であってもよい。
【００４３】
図示の形態のように下蓋２０にスリット２５が形成されている場合には、この下蓋２０のスリット２５も、上蓋１０のスリット１５と同様に形成することができる。また、上蓋１０のスリット１５について説明したように、下蓋２０のスリット２５に代えて、使用者が裂開することによってスリットとなる裂開線を形成することもできる。
【００４４】
図５、図６に、本発明の第一の形態の変形例を示す。図５は、図２と同様に収容体１（薄葉紙製品１００）の断面の模式図であり、図６は、図５に示す収容体１の紙引出部３の部分的な分解図である。図５、図６に示す収容体１の基本的な構造は、図１〜図４を参照して説明した形態と同じであるが、下蓋２０に形成されたスリット２５と上蓋１０に形成されたスリット１５との位置が、第１方向Ｄ１で見て離間している点で異なっている。図示の形態では、下蓋２０にスリット２５が形成されていることで、下蓋第１部分２１と、この下蓋第１部分２１よりも第１方向Ｄ１の長さが短い下蓋第２部分２２とが形成されている。また、上蓋１０にスリット１５が形成されていることで、上蓋第１部分１１と、この上蓋第１部分１１よりも第１方向Ｄ１の長さが長い上蓋第２部分１２とが形成されている。
【００４５】
図７は、図５と同様の断面模式図であるが、薄葉紙Ｐが、薄葉紙の積層体Ｓから紙引出部３を通して引き出されている状態を示す。本形態は、図１〜図４で説明した形態と同様に、薄葉紙は、下蓋２０及び上蓋１０の複数の階層で支持されるため、薄葉紙を立ち上げられた状態で保持することができる。また、収容されている薄葉紙が少なくなった場合に薄葉紙が収容体１の内部に落ち込むことも防止することができる。そのため、本形態の収容体１からは薄葉紙を取り出しやすい。
【００４６】
本形態では、薄葉紙を紙引出部３を通して垂直方向に引き出す場合、図７に示すように、互いに離間している下蓋２０のスリット２５と上蓋１０のスリット１５とが第１方向Ｄ１で見て互いに近づき合うように変形する。そのため、収容体１の変形の度合いは、下蓋２０のスリット２５と上蓋１０のスリット１５とが離間していない形態（図１〜図４）に比べて大きくなる。特に、下蓋部分のうち第１方向Ｄ１で見てより長い下蓋第１部分２１、及び上蓋部分のうち第１方向Ｄ１で見てより長い上蓋第２部分１２の変形は大きい。変形が大きい分だけ、下蓋第１部分２１及び上蓋第２部分１２に発生する元の形状に復元する力が大きくなり、薄葉紙Ｐを支持する力が大きくなる。また、薄葉紙Ｐと、下蓋第１部分２１の縁部２１ａ及び上蓋第２部分１２の縁部１２ａそれぞれとの接触部分は増えるため、薄葉紙とスリットの縁部との間に生じる摩擦力が増大し、薄葉紙Ｐの支持がより確実になる。
【００４７】
また、下蓋２０のスリット２５と上蓋１０のスリット１５とが第１方向Ｄ１で見て離間していることで、下蓋２０と上蓋１０とが協働して薄葉紙Ｐを支持することができる。図７の形態では、下蓋部分のうち第１方向Ｄ１で見てより長い下蓋第１部分２１と、上蓋部分のうち第１方向Ｄ１で見てより長い上蓋第２部分１２とで、薄葉紙Ｐを支持することができる。
【００４８】
さらに、下蓋２０のスリット２５と上蓋１０のスリット１５とが第１方向Ｄ１で見て離間していると、取出口が狭くなるので、引き出される薄葉紙の幅（第２方向Ｄ２の長さ）が縮められる。これにより、薄葉紙Ｐは、部分的に折り重なったり、湾曲したり、襞が発生した状態で紙引出部３において支持されるので、薄葉紙Ｐの立ち上げられた部分の剛性が高まるとともに、スリットの縁部との摩擦力が増大し、薄葉紙Ｐが紙引出部３においてほぼ垂直に立ち上げられた状態で保持される。よって、ポップアップした後続の薄葉紙を容易に取り出すことができる。
【００４９】
下蓋２０のスリット２５と上蓋１０のスリット１５との間隔ｄ（図６）は、薄葉紙の積層体の奥行（第１方向Ｄ１の長さ）に対して上面視で５〜９０％であると好ましく、１０〜８０％であるとより好ましく、３０〜５０％であるとさらに好ましい。下蓋２０のスリット２５と上蓋１０のスリット１５との間隔が５％以上であることで、薄葉紙を引き出す際の下蓋２０及び上蓋１０の変形の度合いが大きくなるため、下蓋２０及び上蓋１０に発生する復元力の増大及び薄葉紙Ｐとの間での摩擦力の増大によって、上述の薄葉紙Ｐを支持する作用を一層向上させることができる。また、９０％以下であることで、薄葉紙を引き出す際に、薄葉紙に過度な負荷がかかることを防止することができる。下蓋２０のスリット２５と上蓋１０のスリット１５との間隔は、例えば、５〜９０ｍｍ、好ましくは１５〜８０ｍｍ、より好ましくは３５〜５０ｍｍとすることができる。
【００５０】
下蓋２０のスリット２５の長さＬ２（図３、図６）は、薄葉紙の積層体の幅と比較して、小さいことが好ましい。これにより、薄葉紙は、スリット２５を通して引き出される際、薄葉紙の幅（第２方向Ｄ２の長さ）が縮められる。そのため、薄葉紙Ｐは、部分的に折り重なったり、湾曲したり、襞が発生した状態で、下蓋２０において支持される。よって、薄葉紙Ｐの剛性が高まるとともに、薄葉紙Ｐとスリット２５との間の摩擦力が増大し、薄葉紙Ｐが下蓋２０において良好に保持される。また、スリット２５が、線状の切れ目によって形成されている場合には、スリット２５の両端において薄葉紙Ｐを強く挟み込むことができる。
【００５１】
下蓋２０のスリット２５の長さＬ２は、薄葉紙の積層体の幅に対して、３５〜９５％であると好ましく、４５〜８５％であるとより好ましく、５５〜７５％であるとさらに好ましい。下蓋２０のスリット２５の第２方向Ｄ２の長さを薄葉紙の積層体の幅に対して３５％以上とすることで、引出しの際に薄葉紙に過度の負荷が掛って薄葉紙が損傷することを防止することができる。また、下蓋２０のスリット２５の第２方向Ｄ２の長さを薄葉紙の積層体の幅に対して９５％以下とすることで、薄葉紙が引き出される際に薄葉紙の幅が縮められ、薄葉紙とスリット２５との間の摩擦力を大きくする作用を高めることができる。
【００５２】
また、下蓋２０のスリット２５と同様に、上蓋１０のスリット１５の長さＬ１（図３、図６）は、薄葉紙の積層体の幅と比較して、小さいことが好ましい。上蓋１０のスリット１５の第２方向Ｄ２の長さは、薄葉紙の積層体の幅に対して、３５〜９５％であると好ましく、４５〜８５％であるとより好ましく、５５〜７５％であるとさらに好ましい。上蓋１０のスリット１５の第２方向Ｄ２の長さを上記範囲とすることで、引出しの際に薄葉紙に過度の負荷がかかることを防止するとともに、引き出された薄葉紙Ｐの剛性、薄葉紙Ｐとスリット１５との間の摩擦力を大きくし、保持を確実にすることができる。
【００５３】
上述の形態では、下蓋２０のスリット２５の長さＬ２と、上蓋１０のスリット１５の長さＬ１とは等しいが、両者は異なっていてもよい。下蓋２０のスリット２５の長さＬ２は、上蓋１０のスリット１５の長さＬ１に対して、８０〜１７０％であると好ましく、１００〜１５０％であるとより好ましい。
【００５４】
なお、下蓋２０のスリット２５と上蓋１０のスリット１５との第２方向Ｄ２での位置関係は特に限定されないが、下蓋２０のスリット２５の第２方向Ｄ２の中心と、上蓋１０のスリット１５の第２方向Ｄ２の中心とは一致していることが好ましい。
【００５５】
下蓋２０と上蓋１０とは、第２方向Ｄ２の両端で固定され、これにより、固定部５０、５０が形成されている（図１）。固定部５０、５０は、ヒートシールによって形成することができるし、接着剤による接着、或いは縫製によっても形成することができる。
【００５６】
下蓋２０は、第１方向Ｄ１の少なくとも一方の端部において上蓋１０と接続されていない（ヒートシール又は接着剤によって一体化されていない）方が好ましい。これにより、下蓋２０と上蓋１０とが束縛されず、互いに自由に動くことができる。そのため、薄葉紙が引き出される際の下蓋２０及び上蓋１０の変形がより容易となり、また変形の度合いも大きくなる。これにより、薄葉紙と、下蓋２０のスリット２５の縁部及び上蓋１０のスリット１５の縁部との接触部分が大きくなり、上述のような薄葉紙を支持する作用を高めることができる。下蓋２０は、第１方向Ｄ１の両端部において上蓋１０と接続されていないことがより好ましい。また、下蓋２０は、第１方向Ｄ１の少なくとも一方の端部において、収容体１の上蓋１０以外の要素と接続されていないことが好ましい。
【００５７】
図８、図９に、本発明の第二の形態を示す。図８は、本発明の第二の形態による、薄葉紙の積層体を内部に収容した収容体１（薄葉紙製品１００）の斜視図である。また、図９は、図８の収容体１の紙引出部３の部分分解図を示す。
【００５８】
第二の形態による収容体１の基本的な構成は第一の形態と同じであるが、第一の形態とは、下蓋２０にスリットが設けられていない点で異なる。本形態では、下蓋２０は、自由端部２８を有している。この自由端部２８は、第２方向Ｄ２に延在する、第１方向Ｄ１の一方の端部である。
【００５９】
薄葉紙が紙引出部３から引き出される場合には、下蓋２０の自由端部２８に接触しながら引き出される。その際、自由端部２８は、上述の下蓋２０のスリット２５の縁部と同様の作用を奏する。すなわち、薄葉紙の引出しの際には、薄葉紙に引きずられて下蓋２０の自由端部２８が持ち上がり、変形する。そして、薄葉紙を一枚引き出した後には、下蓋２０が反るように変形するので、下蓋２０には元の形状に復元する力が発生する。また、自由端部２８は、後続の薄葉紙と少なくとも部分的に接触することで、摩擦力も発生する。これにより、薄葉紙Ｐは下蓋２０によって支持され、ほぼ垂直に立ち上げられた状態で保持されることが可能となる。よって、使用者は次に使用する薄葉紙を容易に摘まんで、取り出すことができる。
【００６０】
図９に示すように、下蓋２０の自由端部２８の位置と、上蓋１０に形成されたスリット１５との位置は、第１方向Ｄ１で見て離間している。そのため、第一の形態について図５〜図７を参照して説明したように、本形態でも、薄葉紙を紙引出部３を通して引き出す際に、下蓋２０の自由端部２８と上蓋１０のスリット１５とが第１方向Ｄ１で見て互いに近づき合うように変形する。これにより、下蓋２０と上蓋１０の変形はより大きくなり、その分だけ、下蓋２０及び上蓋１０が元の形状に復元する力が大きくなり、後続の薄葉紙を支持する力が大きくなる。また、薄葉紙と、下蓋２０の自由端部２８及び上蓋１０のスリットの縁部との接触部分はそれぞれ増えるため、薄葉紙とスリットの縁部との間に生じる摩擦力が増大し、薄葉紙の支持がより確実になる。
【００６１】
図９に示すように、上面視で、下蓋２０は、上蓋１０のスリット１５の位置を越えて延びている。すなわち、上面視で第１方向Ｄ１で見て、下蓋２０の自由端部２８は、上蓋１０のスリット１５よりも、自由端部２８の反対側の端部から遠くに位置している。
【００６２】
下蓋２０の自由端部２８と上蓋１０のスリット１５との間隔ｄ'（図９）は、上述の下蓋２０のスリット２５と上蓋１０のスリット１５との間隔について説明したものと同様、薄葉紙の積層体の奥行（第１方向Ｄ１の長さ）に対して上面視で５〜９０％であると好ましく、１０〜８０％であるとより好ましく、３０〜５０％であるとさらに好ましい。下蓋２０の自由端部２８と上蓋１０のスリット１５との間隔は、例えば、５〜９０ｍｍ、好ましくは１５〜８０ｍｍ、より好ましくは３５〜５０ｍｍとすることができる。
【００６３】
第一及び第二の形態による収容体１を含む薄葉紙製品１００はピロー包装体であるが、包装形態は図示の形態に限られない。薄葉紙製品１００は、例えば、マチを設けたキャラメル包装により薄葉紙を包装することによって作製することができる。
【００６４】
収容体１に収容される薄葉紙は、ティシュペーパー、トイレットペーパー、キッチンペーパー、ペーパーハンドタオル、ペーパー布巾、ワイパー等の衛生薄葉紙であってよい。薄葉紙の１プライでの坪量は１０〜２０ｇ／ｍ2であると好ましく、また薄葉紙の２プライでの紙厚は１３０〜２００μｍであると好ましい。なお、坪量は、ＪＩＳ  Ｐ  ８１２４（１９９８）の坪量測定方法による。
【００６５】
また、薄葉紙の積層体の寸法は、第１方向Ｄ１の長さが８０〜１１５ｍｍ程度、第２方向Ｄ２の長さが１８０〜２５０ｍｍ程度、高さが３０〜９０ｍｍ程度とすることができる。このような薄葉紙の積層体は、例えば、ロータリー式又はマルチスタンド式インタフォルダによって製造することができる。
【００６６】
第一及び第二の形態による収容体１を用いた場合には、ポップアップ式に取出される薄葉紙を立ち上げられた状態で保持する性能が高い。そのため、形状が崩れやすい薄葉紙、例えば、厚さが薄い薄葉紙や、柔らかく、表面が比較的滑らかな薄葉紙等に好適に用いることができる。収容体１は、特に、いわゆる保湿ティシュ、ローションティシュ等の薬液を塗布した薄葉紙の積層体を収容する収容体として好ましい。
【実施例】
【００６７】
以下、本発明の形態について、さらに実施例により具体的に説明するが、本発明はこれらの実施例に限定されるものではない。
【００６８】
本実施例においては、薄葉紙の積層体を収容した収容体を作製して、薄葉紙を保持する機能（シート保持性能）を評価し、さらに薄葉紙の落ち込みについても評価した。
【００６９】
（実施例１）
図１、図２に示すような収容体を作製した。幅３２５ｍｍのポリエチレン（ＰＥ）フィルム（福助工業株式会社製、フィルム膜厚：２０μｍ）を用いて、薄葉紙の積層体をピロー包装することによって、薄葉紙の積層体が収容された収容体を作製した。ピロー包装においては、フィルムの両端部分が収容体の裏面中央で重ね合わされるようにして、薄葉紙の積層体を包んだ。その際、フィルムの上面が収容体の上蓋となる。薄葉紙の積層体を包む際には、フィルムと積層体との間に、下蓋となる別個のフィルム片を挟んだ。下蓋は、幅方向（第２方向Ｄ２）の端部と共にヒートシールされ、幅方向の端部に固定部（図１の５０、５０）を形成した。また、収容体の裏面中央で重ね合されたフィルム材料の両端部分も、ヒートシールした。
【００７０】
収容体の奥行（第１方向Ｄ１長さ）は約１１５ｍｍ、幅（第２方向Ｄ２長さ、薄葉紙製品として平坦になっている上面部分の長さ）は約２４０ｍｍ、高さは約５５ｍｍであった。薄葉紙の積層体を包む前に、上蓋及び下蓋にはそれぞれ、１９０ｍｍのスリットを、幅方向（第２方向Ｄ２）に延びる中心線上に、単線状の切れ目を作ることによって形成しておいた。作製された収容体において、上蓋及び下蓋のスリットの位置は上面視で同じ位置にあった。
【００７１】
収容体に収容される薄葉紙としては、保湿薬液を塗布したティシュペーパー（大王製紙株式会社製、「エリエール  贅沢保湿」）いわゆる保湿ティシュを用いた。ティシュペーパーは、２枚重ね１組からなる５０組（１００枚）であり、各組が２つ折りされて畳まれて、ポップアップ式に取り出される積層体となっている。積層体の奥行（第１方向Ｄ１の長さ）は１０３ｍｍ、幅（第２方向Ｄ２の長さ）は２２３ｍｍ、積層体の高さは２５ｍｍであった。
【００７２】
（実施例２〜６）
上蓋及び下蓋に形成されるスリットの位置を奥行方向（第１方向Ｄ１）に上面視で離間させたこと以外は、実施例１と同様にして、収容体を作製した。実施例２〜６における上蓋のスリットと下蓋のスリットとの間の奥行方向（第１方向Ｄ１）の間隔は表１に示す通りであった。
【００７３】
（実施例７〜１７）
スリット間隔は実施例６と同じ（７０ｍｍ）であったが、上蓋及び下蓋のスリットの長さを表１に示すようにそれぞれ変更したこと以外は実施例６と同様にして、収容体を作製した。
【００７４】
（実施例１８）
下蓋にスリットを形成せず、図８、図９に示すような下蓋が自由端部を有する形態にしたこと以外は、実施例９、１４〜１７と同様の収容体を形成した。実際には、薄葉紙の積層体をピロー包装する際に、フィルムと積層体との間に挿入する別個のフィルム片の奥行方向の長さを短くした。上蓋のスリットと下蓋のスリットとは、図９に示すような位置関係にあった。
【００７５】
（比較例１）
実施例１で用いた別個のフィルムを用いずに薄葉紙の積層体を１枚のフィルムでピロー包装し、図１０に示す収容体１'のような従来技術による上面に長手方向にミシン目が形成されている収容体を準備した。この収容体は、使用時にミシン目を開裂させて取出し口を形成し、この取出し口から薄葉紙のシートを引き出すようにして使用するものである。比較例１の収容体のミシン目の長さは１９０ｍｍであった。比較例１の収容体は、紙引出部の構成が異なること以外は、実施例１と同じ構成を有していた。フィルムの材質も実施例１のものと同じであった。 
【００７６】
上述のようにして作製した実施例１〜１８、比較例１の収容体について、取出し時のシート保持性能を評価した。各評価結果は、表１に示す。
【００７７】
評価の方法は、以下の通りである：
［シート保持性能］
両面テープ（ニチバン株式会社製、「ナイスタックＮＷ−１５」）１５×２１０ｍｍを、収容体の裏面のヒートシール部から収容体１の第１方向Ｄ１の両端部に向かって各３０ｍｍ離れた位置（第１方向Ｄ１で見て中央から各３０ｍｍ離れた位置）に取り付けて、収容体を平坦な実験台に固定した。蓋体から露出している１組のティシュペーパーの先端の、第２方向Ｄ２で見た中央部分を、目玉クリップ（コクヨ株式会社製、「クリ−１３」）で挟んだ。目玉クリップの持ち手部分の一方の穴にプッシュプルゲージ（株式会社イマダ製、型番：Ｚ２−２０）のフックを通し、０．７±０．３Ｎの力を維持しながら、収容体から１組のティシュペーパーを、収容体の上面に対して垂直な方向に引き出した。そして、１組を取り出す毎に、次の１組のティシュペーパーが、収容体の上面に対して垂直な方向に保持されているかを観察した。使用開始から１１〜２０組目のティシュペーパーについて観察をし、記録した。
【００７８】
評価は以下のようにして行った。
Ａ：垂直に保持された組数が９〜１０組
Ｂ：垂直に保持された組数が７〜８組
Ｃ：垂直に保持された組数が５〜６組
Ｄ：垂直に保持された組数が３〜４組
Ｅ：垂直に保持された組数が２組以下
【００７９】
【表１】
2019059495.tif 000003
【００８０】
実施例１〜１８はいずれもティシュペーパーの保持性能に優れ、とりわけ上蓋及び下蓋にスリットが形成され、両スリットが離間している実施例２〜１８は優れていた。一方、下蓋を有さない比較例１では、ティシュペーパーの保持性能に劣っていた。
【００８１】
また、上記実施例について、ティシュペーパーの落ち込みについても観察をした。ティシュペーパーの落ち込みは、５０組のティシュペーパーを順に取り出す際に、ティシュペーパーが取出口から出てこないで収容体の内部に落ち込んでしまった組数をティシュペーパー落ち込み回数として数え、記録した。実施例１〜１８では、ティシュペーパーの落ち込みは観察されなかった。
【符号の説明】
【００８２】
１  収容体
１'  収容体（従来技術）
２  収容体本体
３  紙引出部
１０  上蓋
１１  上蓋第１部分
１１ａ  上蓋第１部分の縁部
１２  上蓋第２部分
１２ａ  上蓋第２部分の縁部
１５  上蓋のスリット
２０  下蓋
２１  下蓋第１部分
２１ａ  下蓋第１部分の縁部
２２  下蓋第２部分
２２ａ  下蓋第２部分の縁部
２５  下蓋のスリット
２８  下蓋の自由端部
５０  固定部
１００  薄葉紙製品
Ｄ１  第１方向（奥行方向）
Ｄ２  第２方向（幅方向）
Ｓ  薄葉紙の積層体
Ｐ  薄葉紙
【図１】
2019059495.tif 000004
【図２】
2019059495.tif 000005
【図３】
2019059495.tif 000006
【図４】
2019059495.tif 000007
【図５】
2019059495.tif 000008
【図６】
2019059495.tif 000009
【図７】
2019059495.tif 000010
【図８】
2019059495.tif 000011
【図９】
2019059495.tif 000012
【図１０】
2019059495.tif 000013
【図１１】
2019059495.tif 000014